(57)【要約】【課題】自然環境に優しく、また、周辺の景観と合致するとともに、前後方向に湾曲する地形にも対処することができる擁壁ブロックを提供する。【解決手段】擁壁ブロック１は、間伐材からなる複数の木材を組み合わせて形成したブロック本体２を有し、複数個連設して擁壁を形成するための擁壁ブロック１であって、ブロック本体２は、第一閂を擁壁の設置面と平行な方向に挿通させるための第一閂挿通孔を有し、隣接するブロック本体２の第一閂挿通孔を互いに連続するものとし、互いに連続する第一閂挿通孔に第一閂を挿通することにより、隣接するブロック本体２同士を接続するものである。【選択図】        図１
2004270280.tif 000002
【特許請求の範囲】
【請求項１】
間伐材からなる複数の木材を組み合わせて形成したブロック本体を有し、複数個連設して擁壁を形成するための擁壁ブロックであって、
前記ブロック本体は、閂を前記擁壁の設置面と平行な方向に挿通させるための第一閂挿通孔を有し、隣接する前記ブロック本体の前記第一閂挿通孔を互いに連続するものとし、互いに連続する前記第一閂挿通孔に前記閂を挿通することにより、隣接する前記ブロック本体同士を接続することを特徴とする擁壁ブロック。
【請求項２】
前記ブロック本体は、閂を前記擁壁の設置面と鉛直な方向に挿通させるための第二閂挿通孔をさらに有してなることを特徴とする請求項１に記載の擁壁ブロック。
【請求項３】
前記ブロック本体は、複数の前記木材を組み合わしてなる第一構造体と、複数の前記木材を組み合わしてなり前記第一構造体上に積層された第二構造体と、複数の前記木材を組み合わしてなり前記第二構造体上に積層された第三構造体とを備えることを特徴とする請求項１又は請求項２に記載の擁壁ブロック。
【請求項４】
前記ブロック本体から前記擁壁の設置面と鉛直な方向に突設され、一部が地中に埋設される控木材をさらに備えることを特徴とする請求項１乃至請求項３のいずれか一つに記載の擁壁ブロック。
【発明の詳細な説明】
【０００１】
【発明の属する技術分野】
本発明は、擁壁ブロックに関する。特に、間伐材からなる複数の木材を組み合わせて形成した擁壁ブロックに関するものである。
【０００２】
【従来の技術】
従来より、山間部など道路脇の法面に、型枠を組立てコンクリートを打ち込んで形成したコンクリート擁壁や、コンクリートブロックを組み合わせて形成したコンクリート擁壁を築いて、土砂崩れなどの災害を防止している。
【０００３】
このようなコンクリート擁壁は、一般的なものである。本出願人は、これを特定する文献を特には知見していない。
【０００４】
【発明が解決しようとする課題】
しかし、これらのコンクリート擁壁は、表面にコンクリートが剥き出しとなり、外観上周辺の自然環境にそぐわず不自然な景観となっていた。また、これらのコンクリート擁壁は、周辺の安全性が提供される一方、動植物の生活環境を破壊してしまい、自然環境の破壊にもつながっていた。また、型枠にコンクリートを打ち込む場合、型枠の組み立て及び取外しに手間がかかり、また、危険を伴うものでもあった。さらに、コンクリートブロックを組み合わせる場合、取り扱うコンクリートブロックの質量が大きいため、これもまた施工に手間がかかるとともに危険を伴うものであった。
【０００５】
また、従来より、上述のコンクリート擁壁に代えて、木材により製作した木柵などにより土砂崩れを防止するようにしたものもある。しかし、木柵などは、一定の平坦な法面に施工するのは容易であるが、前後方向に湾曲する法面において、例えばコンクリートブロックのように地形に沿って配設することは困難であった。また、施工の際にボルト及びナットなどによる締結を必要とし、現場での作業に手間がかかっていた。
【０００６】
本発明は、上記の実情を鑑み、自然環境に優しく、また、周辺の景観と合致するとともに、前後方向に湾曲する地形にも対処することができる擁壁ブロックの提供を課題とするものである。
【０００７】
【課題を解決するための手段】
本発明にかかる擁壁ブロックは、「間伐材からなる複数の木材を組み合わせて形成したブロック本体を有し、複数個連設して擁壁を形成するための擁壁ブロックであって、前記ブロック本体は、閂を前記擁壁の設置面と平行な方向に挿通させるための第一閂挿通孔を有し、隣接する前記ブロック本体の前記第一閂挿通孔を互いに連続するものとし、互いに連続する前記第一閂挿通孔に前記閂を挿通することにより、隣接する前記ブロック本体同士を接続すること」を、上述の課題を解決するため主要な手段とする。
【０００８】
本発明に係る擁壁ブロックでは、ブロック本体を設置面に立設し、複数個連設して擁壁を形成することになる。擁壁を形成する際の擁壁の積み方は、コンクリートブロックを積み上げる際と同様の積み方を用いることが可能である。ブロック本体の正面形状は、例えば、正方形又は長方形などを含む四角形、或いは、正三角形又は二等辺三角形などを含む三角形のいずれであってもよい。ブロック本体の正面形状が正方形又は長方形である場合、上下のブロック本体の目地が直線状につらなるように積む布積みや、上下のブロック本体の目地が波形となるように積む谷積みなどの積み方を用いることが可能である。ここで、谷積みは、擁壁ブロック同士がかみ合うことにより擁壁全体が強化される効果や、上側の擁壁ブロックに加わる荷重を下側の二つの擁壁ブロックに効率よく分散する効果などが得られるので、擁壁を施工する際に特に好適である。ブロック本体の正面形状が正三角形又は二等辺三角形である場合、底辺が直線状につらなるようブロック本体を配設し、その隣り合うブロック本体の間に逆向きのブロック本体をさらに配設した積み方を用いることが可能である。
【０００９】
擁壁を形成する際、布積み、谷積み、あるいはその他の積み方いずれを採用する場合であっても、隣接するブロック本体の第一閂挿通孔の開口を互いに合致させて第一閂挿通孔を直線状に連続するものとして擁壁を形成する。ここで、第一閂挿通孔は、例えば、ブロック本体を形成する複数の木材の間隙により形成されるものであってもよく、ブロック本体を形成する複数の木材に穿設されて形成されたものであってもよい。また、第一閂挿通孔は、閂を擁壁の設置面と平行な方向に挿通させるものであればよく、例えば、ブロック本体の上下方向に貫通するもの、ブロック本体の左右方向に貫通するもの、ブロック本体の斜め方向に貫通するものなどいずれであってもよい。さらに、第一閂挿通孔は、一本の閂を挿通するものであってもよく、複数本の閂を挿通するものであってもよい。
【００１０】
互いに連続する第一閂挿通孔に棒状の閂を挿通することにより、隣接するブロック本体同士が接続されることになるが、挿通する閂は、第一閂挿通孔の開口の縦幅とほぼ同様の太さで形成されることが好ましい。このようにすれば、第一閂挿通孔に挿通が可能であるとともに摩擦により第一閂挿通孔内での移動が制限されるからである。ただし、閂の太さや形状は特に限定されるものではない。例えば、法面が前後方向に湾曲している場合など、隣接するブロック本体が直線状に配設されず、第一閂挿通孔の開口が必ずしも完全に連続しないときがあるが、そのような場合は通常より細い閂を利用したり、断面形状が丸い閂を利用するなど、閂を適宜選択して隣接する擁壁ブロックに挿通すればよい。また、閂の長さは、二つのブロック本体を貫通するのに必要な長さ、あるいは三つ以上のブロック本体を貫通するのに必要な長さなどいずれであってもよい。
【００１１】
このように、本発明に係る擁壁ブロックは、ブロック本体が木製であるため、擁壁を形成しても従来のコンクリート擁壁のようにコンクリートが剥き出しとなることがなく、周囲の自然環境との外観上の調和を保つことができる。また、全面がコンクリート又はコンクリートブロックなどで完全に覆われている法面では、動植物の生活環境を破壊したり、水はけを阻害してしまう可能性があるが、本発明に係る擁壁ブロックは、ブロック本体が木製であるため、動植物の生活環境を破壊したり、水はけを阻害する可能性が少ない。また、従来の木柵などの場合は、前後方向に湾曲する現場において、例えばコンクリートブロックのように地形に沿って配設することは困難であるが、本発明に係る擁壁ブロックでは、コンクリートブロックと同様に地形に沿って配設することが可能であり、又、コンクリートブロックと同様に布積みや谷積みなど様々な積み方も可能で、擁壁を形成する現場に応じた対応ができ、実施に際して有利である。また、隣接するブロック本体同士を接続する際、第一閂挿通孔に閂を挿通することで接続することからボルト及びナットなどにより締結する必要がなく、現場では手間がかからず容易に施工できる。
【００１２】
ところで、造林した樹木が成長して枝が互いに触れ合うことになると、隣り合った樹木の間での競争が激しくなって成長に優劣が生じ、劣勢な樹木は枯れ、また、個々の樹木の成長も衰え、病虫害・風害・雪害などを受けやすくなる。このため、一部の樹木を切りとることで林の密度を疎にし、競争を緩和して残った木の肥大成長を促し、森林全体を健全に育てる必要がある。これを間伐というが、このとき発生する大量の間伐材は、生産の面で将来見込みのない劣勢木、被害木、材質の不良な木、形の悪い木、枯れた木などであることが多く、建築材としては価値が低い。また、充分に育っていない木のため、乾燥時のそりが大きく長い素材のままでは利用が難しい。本発明に係る擁壁ブロックにおいて、ブロック本体を形成する複数の木材は、建築材のように長い素材ではなく短い素材であることから、間伐材の正常でそりのない部分を短く切りとり利用することが可能である。したがって、間伐材の新たな用途が開発され、人工林資源の無駄のない有効活用を図ることができる。
【００１３】
上記擁壁ブロックを、「前記ブロック本体は、閂を前記擁壁の設置面と鉛直な方向に挿通させるための第二閂挿通孔をさらに有してなる」ものとしてもよい。
【００１４】
このようにすることで、ブロック本体に閂を擁壁の設置面と鉛直な方向へ挿通し、閂の一部を地中に埋設することが可能となる。したがって、擁壁の設置面と鉛直に挿通された閂により擁壁ブロックの位置を固定することができる。ここで、擁壁を形成する際、全てのブロック本体の第二閂挿通孔に閂を挿通してもよいが、そのようにすると施工に手間がかかることから、最下段のブロック本体など要所のみに設置面と鉛直な方向の閂を挿通するようにしてもよい。また、第二閂挿通孔は、例えば、ブロック本体を形成する複数の木材の間隙により形成されるものであってもよく、ブロック本体を形成する複数の木材に穿設されて形成されたものであってもよい。さらに、第二閂挿通孔は、一本の閂を挿通するものであってもよく、複数本の閂を挿通するものであってもよい。
【００１５】
上記擁壁ブロックを、「前記ブロック本体は、複数の前記木材を組み合わしてなる第一構造体と、複数の前記木材を組み合わしてなり前記第一構造体上に積層された第二構造体と、複数の前記木材を組み合わしてなり前記第二構造体上に積層された第三構造体とを備えてなる」ものとしてもよい。
【００１６】
このようにすることで、ブロック本体は、複数の木材を組み合わせてなる構造体が少なくとも三つ積層して形成されることになる。複数の木材を組み合わせてなる第一乃至第三構造体とは、特に限定されるものではなく、例えば、適宜間隔で並設された木材からなるものや、三角形をなすように組み合わされた木材からなるものなどが挙げられる。ブロック本体の第一閂挿通孔が、第一構造体、第二構造体の複数の木材の間隙、及び第三構造体により、第二構造体に形成されると、簡易に第一閂挿通孔を形成することが可能となり、より好適である。ここで、積層される構造体の数は、三つに限定されるものではなく、四つの構造体を積層してもよく、また、四つ以上の構造体を積層してもよい。四つの構造体を積層した場合、ブロック本体の第一閂挿通孔が、第一構造体、第二構造体の複数の木材の間隙、及び第三構造体により、第二構造体に形成されるほか、第二構造体、第三構造体の複数の木材の間隙、及び第四構造体により、第三構造体にも形成され、例えば、方向の異なる閂を段違いに挿通させることが可能となって、例えば上下左右に隣接するブロック本体同士を接続することもできる。
【００１７】
上記擁壁ブロックを、「前記ブロック本体から前記擁壁の設置面と鉛直な方向に突設され、一部が地中に埋設される控木材をさらに備える」ものとしてもよい。
【００１８】
このようにすることで、ブロック本体の底面を擁壁の設置面に立設すると、控木材の一部が地中に埋設されることになり、擁壁ブロックの位置を固定することになる。したがって、擁壁ブロックを確実に擁壁の設置面に固定することができる。ここで、控木材は、ブロック本体を形成する複数の木材から延設されているものであってもよく、また、ブロック本体を形成する複数の木材に取付けられているものであってもよい。また、控木材の地中に埋設される側の先端に、控木材と直交する木材をさらに配設することで、方向の異なる木材を地中に埋設してより強固に擁壁ブロックを固定するようにしてもよい。
【００１９】
【発明の実施の形態】
以下、本発明の第一実施形態である擁壁ブロック１，１ａについて、図１乃至図３に基づき説明する。図１（ａ）は第一実施形態の擁壁ブロック１の構成を示す斜視図、（ｂ）は擁壁ブロック１の変化例である擁壁ブロック１ａの構成を示す斜視図であり、図２は擁壁ブロック１の構成を示す（ａ）正面図、（ｂ）平面図、（ｃ）側面図であり、図３（ａ）は擁壁ブロック１を複数個連設して形成した擁壁４を示す正面図、（ｂ）は擁壁ブロック１を複数個連設して形成した擁壁４において第一閂２６及び第二閂２７を説明するための正面図である。
【００２０】
先ず、第一実施形態の擁壁ブロック１の構成について説明する。擁壁ブロック１は、図１（ａ）に示すように、ブロック本体２と控木材３とを主に備え、複数個連設して擁壁４（図３（ａ）参照）を形成するためのものである。ブロック本体２は、第一構造体５と、第一構造体５上に積層された第二構造体６と、第二構造体６上に積層された第三構造体７とから形成されている。ブロック本体２は、擁壁４の露出面となる正面９（図２（ａ）参照）及び擁壁４の設置面と相対する背面１０の形状が短辺約２７０ｍｍ及び長辺約７２０ｍｍの長方形に形成され、側面１１，１２（図２（ｃ）参照）の形状が一辺が約２７０ｍｍの正方形に形成され、外郭形状が直方体をなしている。
【００２１】
第一構造体５は、間隔を置いて並設された一対の木材１３，１４から構成されている。木材１３，１４の断面形状は稜角が削られいるが一辺が約９０ｍｍの略正方形状であり、木材１３，１４の長手方向の長さは約７２０ｍｍであり、木材１３，１４の間隙は約９０ｍｍである。
【００２２】
第二構造体６は、第一構造体５の木材１３，１４と略直交方向に間隔を置いて並設された三本の木材１５，１６，１７から構成されている。木材１５，１６，１７の断面形状は稜角が削られているが一辺が約９０ｍｍの略正方形状であり、木材１５，１７の長手方向の長さは約２７０ｍｍであり、木材１５，１６の間隙は約２７０ｍｍであり、木材１６，１７の間隙は約１８０ｍｍである。
【００２３】
第二構造体６の木材１６は、長手方向の長さが約６００ｍｍであり、一部がブロック本体２の背面１０から突設しており、この突設した部分が擁壁ブロック１の控木材３となっている。控木材３は、ブロック本体２から擁壁４の設置面と鉛直な方向に突設され、一部が地中に埋設されるものである。また、控木材３の地中に埋設される側の先端には、控木材３と直交する木材１８が配設されている。木材１８は、断面形状は稜角が削られているが一辺が約９０ｍｍの略正方形状であり、長手方向の長さは約３００ｍｍである。
【００２４】
第三構造体７は、第一構造体５の木材１３，１４と略同方向に間隔を置いて並設された一対の木材１９，２０から構成されている。木材１９，２０の断面形状は稜角が削られているが一辺が約９０ｍｍの略正方形状であり、木材１９，２０の長手方向の長さは約７２０ｍｍであり、木材１９，２０の間隙は約９０ｍｍである。
【００２５】
ここで、第一構造体５の木材１３，１４，第二構造体６の木材１５，１６，１７，及び第三構造体７の木材１９，２０は、互いに交差する位置でボルト２１により締結されている。また、控木材３及び木材１８についても、互いに交差する位置でボルト２１により締結されている。
【００２６】
また、ここで、第一構造体５の木材１３，１４，第二構造体６の木材１５，１６，１７，第三構造体７の木材１９，２０，控木材３，及び木材１８は、いずれも原材料に間伐材を利用して形成されている。
【００２７】
また、ここで、ブロック本体２は、第一閂挿通孔２２，２３（図２（ｂ）参照）を有している。第一閂挿通孔２２は、後述の第一閂２６を擁壁４の設置面と平行な上下方向に挿通させるためのものであり、第一構造体５の木材１３，１４の間隙、第二構造体６の木材１５，１６の間隙、及び第三構造体７の木材１９，２０の間隙により形成されている。なお、第一閂挿通孔２２は、第一閂２６を横方向に三本並設して挿通することが可能である。第一閂挿通孔２３は、第一閂２６を擁壁４の設置面と平行な上下方向に挿通させるためのものであり、第一構造体５の木材１３，１４の間隙、第二構造体６の木材１６，１７の間隙、及び第三構造体７の木材１９，２０の間隙により形成されている。なお、第一閂挿通孔２３は、第一閂２６を横方向に二本並設して挿通することが可能である。
【００２８】
さらに、ここで、ブロック本体２は、第二閂挿通孔２４，２５（図２（ａ）参照）を有している。第二閂挿通孔２４は、後述の第二閂２７を擁壁４の設置面と鉛直な方向に挿通させるためのものであり、第一構造体５、第二構造体６の木材１５，１６の間隙、及び第三構造体７により形成されている。なお、第二閂挿通孔２４は、第二閂２７を横方向に三本並設して挿通することが可能である。第二閂挿通孔２５は、第二閂２７を擁壁４の設置面と鉛直な方向に挿通させるためのものであり、第一構造体５、第二構造体６の木材１６，１７の間隙、及び第三構造体７により形成されている。なお、第二閂挿通孔２５は、第二閂２７を横方向に二本並設して挿通することが可能である。
【００２９】
次に、第一実施形態の擁壁ブロック１の変化例である擁壁ブロック１ａの構成について説明する。擁壁ブロック１ａは、擁壁ブロック１と同様に複数個連設して擁壁４を形成するためのものである。擁壁ブロック１ａは、図１（ｂ）に示すように、擁壁ブロック１において控木材３及び木材１８を省略したものである。その他の構成については擁壁ブロック１と同様であるため、同じ番号を付して詳細な説明は省略する。
【００３０】
次に、第一実施形態の擁壁ブロック１を複数個連設して形成した擁壁４について説明する。擁壁４は、図３（ａ）に示すように、上述の擁壁ブロック１のブロック本体２を複数個布積みし、図３（ｂ）に示すように、第一閂２６で上下に隣接するブロック本体２同士を接続して形成したものである。また、擁壁４は、擁壁ブロック１のブロック本体２を布積みして形成されているため、上下のブロック本体２の位置がちょうど半分ずつずれて配設されている。
【００３１】
ここで、擁壁ブロック１と擁壁ブロック１ａとは、控木材３及び木材１８以外は構成が異ならないので、現場の状況に応じてどちらを用いて擁壁４を形成してもよい。擁壁ブロック１では、控木材３及び木材１８を地中に埋設して、擁壁ブロック１を固定することができるが、例えば擁壁４の設置面において控木材３を打つことが困難である箇所では擁壁ブロック１ａを用いた方が好適である。ただし、擁壁ブロック１ａを多用すると、設置面と擁壁４との固定強度が弱くなる可能性があるため、全体の固定強度を考慮して適宜選択する必要がある。なお、擁壁ブロック１ａを用いた場合であっても、第二閂挿通孔２４，２５に第二閂２７を挿通することで擁壁４の設置面と擁壁ブロック１ａとを固定できる。
【００３２】
擁壁４は、擁壁ブロック１の第一閂挿通孔２２が上下の別の擁壁ブロック１の第一閂挿通孔２３と連続するものとなり、第一閂挿通孔２３が上下の別の擁壁ブロック１の第一閂挿通孔２２と連続するものとなるように積み上げられている。このようにすれば、擁壁ブロック１の第一閂挿通孔２２，２３が上下方向に直線状に連続するものとなり、そこに第一閂２６を挿通して、上下に隣接するブロック本体２同士を接続することが可能になる。
【００３３】
ここで、第一閂２６について説明する。第一閂２６は、上下の擁壁ブロック１のブロック本体２同士を接続するためのものである。第一閂２６の断面形状は、ブロック本体２を形成する複数の木材と同様、稜角が削られているが一辺が約９０ｍｍの略正方形状である。第一閂２６の長手方向の長さは約５４０ｍｍであり、ブロック本体２を上下に積んだ際の二個分に相当する。なお、第一閂２６は、原材料に間伐材を利用して形成されている。
【００３４】
擁壁４では、図３（ｂ）に示すように、上下に隣接する擁壁ブロック１の互いに連続する第一閂挿通孔２２，２３に、それぞれ二本の第一閂２６を挿通する。このとき、二本の第一閂２６を互いに半分ずつずれるように配設して、一方が上の擁壁ブロック１と接続され、他方は下の擁壁ブロック１と接続されるようにする。なお、最下段の擁壁ブロック１では、先端が尖った第一閂２６ａを利用し、第一閂挿通孔２２，２３に挿通するとともに地中に一部を埋設し、地面と擁壁ブロック１ａを固定する。
【００３５】
擁壁４では、擁壁４を構成する擁壁ブロック１のうち、一段おきの擁壁ブロック１の第二閂挿通孔２４に第二閂２７を挿通するとともに第二閂２７の一部を地中に埋設することで、擁壁ブロック１を擁壁４の設置面に固定している。ここで、第二閂２７について説明する。第二閂２７は、擁壁ブロック１のブロック本体２を固定するためのものである。第二閂２７の断面形状は、ブロック本体２を形成する複数の木材と同様、稜角が削られているが一辺が約９０ｍｍの略正方形状である。第二閂２７の長手方向の長さは約６００ｍｍである。なお、第二閂２７は、原材料に間伐材を利用して形成されている。なお、図３（ｂ）では、第一閂２６及び第二閂２７を説明するために、第一閂２６及び第二閂２７を実線で示し、擁壁ブロック１を点線で示している。
【００３６】
次に、第一実施形態の擁壁ブロック１を複数個連設して形成した擁壁４の擁壁施工方法について説明する。擁壁施工方法は、控木材３及び木材１８、又は、第二閂２７を埋設するための孔を擁壁４の設置面に穿設する工程と、複数個の擁壁ブロック１を上下に隣接するブロック本体２の第一閂挿通孔２２，２３が連続するものとなるように布積みする工程と、第一閂２６をブロック本体２の第一閂挿通孔２２，２３に挿通して上下に隣接するブロック本体２同士を接続する工程と、第二閂２７をブロック本体２の第二閂挿通孔２４，２５に挿通するとともに一部を地中に埋設する工程とを有している。
【００３７】
このように、第一実施形態の擁壁ブロック１は、ブロック本体２が木製であるため、擁壁４を形成しても従来のコンクリート擁壁のようにコンクリートが剥き出しとなることがなく、周囲の自然環境との外観上の調和を保つことができる。また、全面がコンクリート又はコンクリートブロックなどで完全に覆われている法面では、動植物の生活環境を破壊したり、水はけを阻害してしまう可能性があるが、本発明に係る擁壁ブロック１は、ブロック本体２が木製であるため、動植物の生活環境を破壊したり、水はけを阻害する可能性が少ない。
【００３８】
また、第一実施形態の擁壁ブロック１は、第一閂２６を擁壁４の設置面と平行な上下方向に挿通させるための第一閂挿通孔２２，２３をブロック本体２に有している。このため、上下方向に隣接するブロック本体２同士を、互いに連続する第一閂挿通孔２２，２３に第一閂２６を挿通することで接続することが可能となり、ボルト及びナットなどによる締結が必要なく、現場では手間がかからず容易に施工できる。
【００３９】
また、第一実施形態の擁壁ブロック１は、第二閂２７を擁壁４の設置面と鉛直な方向に挿通させるための第二閂挿通孔２４，２５をブロック本体２に有している。このため、ブロック本体２に第二閂２７を擁壁４の設置面と鉛直な方向へ挿通し、第二閂２７の一部を地中に埋設することが可能となる。したがって、擁壁４の設置面と鉛直に挿通された第二閂２７により擁壁ブロック１の位置を固定することができる。
【００４０】
また、第一実施形態の擁壁ブロック１は、ブロック本体２が、適宜間隔で並設された木材１３，１４からなる第一構造体５と、第一構造体５の木材１３，１４と直交方向に適宜間隔で並設された木材１５，１６，１７からなる第二構造体６と、第一構造体５と同方向に適宜間隔で並設された木材１９，２０からなる第三構造体７とを備えている。このように、複数の木材が交互に直交するように構造体が積層されたことにより、簡易な構成で第一閂挿通孔２２，２３及び第二閂挿通孔２４，２５を形成することができる。
【００４１】
また、第一実施形態の擁壁ブロック１は、ブロック本体２から擁壁４の設置面と鉛直な方向に突設され、一部が地中に埋設される控木材３を備えている。このため、ブロック本体２の背面１０を擁壁４の設置面に立設すると、控木材３の一部が地中に埋設されることになり、擁壁ブロック１の位置を固定することになる。したがって、擁壁ブロック１を確実に擁壁４の設置面に固定することができる。
【００４２】
さらに、第一実施形態の擁壁ブロック１では、擁壁ブロック１を構成する複数の木材、すなわち、第一構造体５の木材１３，１４，第二構造体６の木材１５，１６，１７，第三構造体７の木材１９，２０，控木材３，及び木材１８が、建築材のように長い素材ではなく１ｍ以下の短い素材である。そのため、間伐材の正常でそりのない部分を短く切りとり利用することが可能である。したがって、間伐材の新たな用途が開発され、人工林資源の無駄のない有効活用を図ることができる。
【００４３】
次に、本発明の第二実施形態である擁壁ブロック３０について、図４乃至図８に基づき説明する。図４（ａ）は第二実施形態の擁壁ブロック３０の構成を示す斜視図、（ｂ）は擁壁ブロック３０の変化例である擁壁ブロック３０ａの構成を示す斜視図であり、図５は擁壁ブロック３０の構成を示す（ａ）正面図、（ｂ）平面図、（ｃ）側面図であり、図６（ａ）は擁壁ブロック３０を複数個連設して形成した擁壁３２を示す正面図、（ｂ）は擁壁ブロック３０を複数個連設して形成した擁壁３２において第一閂５３及び第二閂５４を説明するための正面図であり、図７は擁壁３２の最下段に配設される擁壁ブロック３０の構成を示す（ａ）正面図、（ｂ）平面図、（ｃ）側面図であり、図８は複数個の擁壁ブロック３０を湾曲して連設した状態を示す平面図である。なお、第一実施形態の擁壁ブロック１，１ａと同様の構成については、同じ番号を付して詳細な説明は省略する。
【００４４】
先ず、第二実施形態の擁壁ブロック３０の構成について説明する。擁壁ブロック３０は、図４（ａ）に示すように、ブロック本体３１を備え、複数個連設して擁壁３２（図６（ａ）参照）を形成するためのものである。
【００４５】
ブロック本体３１は、第一構造体３３と、第一構造体３３上に積層された第二構造体３４と、第二構造体３４上に積層された第三構造体３５とから形成されている。ブロック本体３１は、擁壁３２の露出面となる正面３６（図５（ａ）参照）及び擁壁３２の設置面３７（図７（ｃ）参照）と相対する背面３８の形状が短辺約３６０ｍｍ及び長辺約７２０ｍｍの長方形に形成され、側面３９，４０（図５（ｃ）参照）の形状が一辺が短辺２７０ｍｍ及び長辺が約３６０ｍｍの長方形に形成され、外郭形状が直方体をなしている。
【００４６】
第一構造体３３は、間隔を置いて並設された一対の木材４１，４２から構成されている。木材４１，４２の断面形状は稜角が削られいるが一辺が約９０ｍｍの略正方形状であり、木材４１，４２の長手方向の長さは約７２０ｍｍであり、木材１３，１４の間隙は約１８０ｍｍである。
【００４７】
第二構造体３４は、第一構造体３３の木材４１，４２と略直交方向に間隔を置いて並設された三本の木材４３，４４，４５から構成されている。木材４３，４４，４５の断面形状は稜角が削られているが一辺が約９０ｍｍの略正方形状であり、木材４３，４４，４５の長手方向の長さは約３６０ｍｍであり、木材４３，４４の間隙は約２７０ｍｍであり、木材４３，４４の間隙は約１８０ｍｍである。
【００４８】
第三構造体３５は、第一構造体３３の木材４１，４２と略同方向に間隔を置いて並設された一対の木材４６，４７から構成されている。木材４６，４７の断面形状は稜角が削られているが一辺が約９０ｍｍの略正方形状であり、木材４６，４７の長手方向の長さは約７２０ｍｍであり、木材４６，４７の間隙は約１８０ｍｍである。
【００４９】
ここで、ブロック本体３１は、第一閂挿通孔４９，５０（図５（ｂ）参照）を有している。第一閂挿通孔４９は、第一閂５３を擁壁３２の設置面３７と平行な上下方向に挿通させるためのものであり、第一構造体３３，第二構造体３４の木材４３，４４の間隙、及び第三構造体３５により形成されている。なお、第一閂挿通孔４９は、第一閂５３を横方向に三本並設して挿通することが可能である。第一閂挿通孔５０は、第一閂５３を擁壁３２の設置面３７と平行な上下方向に挿通させるためのものであり、第一構造体３３，第二構造体３４の木材４４，４５の間隙，及び第三構造体３５により形成されている。なお、第一閂挿通孔５０は、第一閂５３を横方向に二本並設して挿通することが可能である。
【００５０】
また、ここで、ブロック本体３１は、第二閂挿通孔５１，５２（図５（ａ）参照）を有している。第二閂挿通孔５１は、第二閂５４を擁壁３２の設置面３７と鉛直な方向に挿通させるためのものであり、第一構造体３３の木材４１，４２の間隙，第二構造体３４の木材４３，４４の間隙，及び第三構造体３５の木材４６，４７より形成されている。なお、第二閂挿通孔５１は、第二閂５４を横方向に三本、縦方向に二本並設して挿通することが可能である。第二閂挿通孔５２は、第二閂５４を擁壁３２の設置面３７と鉛直な方向に挿通させるためのものであり、第一構造体３３の木材４１，４２の間隙，第二構造体３４の木材４４，４５の間隙，及び第三構造体３５の木材４６，４７より形成されている。なお、第二閂挿通孔５２は、第二閂５４を横方向に二本、縦方向に二本並設して挿通することが可能である。
【００５１】
次に、第二実施形態の擁壁ブロック３０の変化例である擁壁ブロック３０ａの構成について説明する。擁壁ブロック３０ａは、擁壁ブロック３０と同様に複数個連設して擁壁３２を形成するためのものである。擁壁ブロック３０ａは、図４（ｂ）に示すように、擁壁ブロック３０において、第二構造体３４の木材４４に控木材５６を取り付け、控木材５６の先端に木材５７を直交して配設したものである。その他の構成については擁壁ブロック３０と同様であるため、同じ番号を付して詳細な説明は省略する。
【００５２】
次に、第二実施形態の擁壁ブロック３０を複数個連設して形成した擁壁３２について説明する。擁壁３２は、図６（ａ）に示すように、上述の擁壁ブロック３０を複数個布積みし、図６（ｂ）に示すように、第一閂５３で上下に隣接する擁壁ブロック３０同士を接続して形成したものである。ここで、第一閂５３について説明する。第一閂５３は、上下の擁壁ブロック３０のブロック本体３１同士を接続するためのものである。第一閂５３の断面形状は、ブロック本体２を形成する複数の木材と同様、稜角が削られているが一辺が約９０ｍｍの略正方形状である。第一閂５３の長手方向の長さは約７２０ｍｍであり、ブロック本体３１を上下に積んだ際の二個分に相当する。
【００５３】
擁壁３２では、図６（ａ）に示すように、上下に隣接する擁壁ブロック３０の互いに連続する第一閂挿通孔４９，５０に、それぞれ二本の第一閂５３を挿通する。このとき、二本の第一閂５３を互いに半分ずつずれるように配設して、一方が上の擁壁ブロック３０と接続され、他方は下の擁壁ブロック３０と接続されるようにする。なお、最下段の擁壁ブロック３０では、図７（ａ），（ｃ）に示すように、先端が尖った第一閂５３ａを利用し、第一閂挿通孔４９，５０に挿通するとともに地中に一部を埋設し、地面と擁壁ブロック３０を固定する。
【００５４】
擁壁３２では、擁壁ブロック３０の第二閂挿通孔５１に第二閂５４を挿通するとともに、第二閂５４の一部を地中に埋設して擁壁ブロック３０を固定している（図７（ａ），（ｂ），（ｃ）参照）。ここで、第二閂５４について説明する。第二閂５４は、擁壁ブロック３０のブロック本体２を固定するためのものである。第二閂５４の断面形状は、ブロック本体３１を形成する複数の木材と同様、稜角が削られているが一辺が約９０ｍｍの略正方形状である。第二閂５４の長手方向の長さは約６００ｍｍである。なお、図６（ｂ）では、第一閂５３及び第二閂５４を説明するために、第一閂５３及び第二閂５４を実線で示し、擁壁ブロック３０を点線で示している。
【００５５】
なお、擁壁３２の設置面３７が前後方向に湾曲している場合、擁壁ブロック３０を布積みすると、第一閂挿通孔４９，５０が必ずしも完全には一致しないため、第一閂５３を挿入することができないが、この場合は、図８に示すように、第一閂挿通孔４９，５０よりも太さが狭く、また、断面形状が丸い第一閂５３ｂ，５３ｃ，５３ｄ，５３ｅなどを適宜選択して用い、第一閂挿通孔４９，５０に挿通すればよい。
【００５６】
次に、本発明の第三実施形態である擁壁ブロック６０，９０について、図９乃至図１３に基づき説明する。図９（ａ）は第三実施形態の擁壁ブロック６０の構成を示す斜視図、（ｂ）は第三実施形態の擁壁ブロック９０の構成を示す斜視図であり、図１０は擁壁ブロック６０の構成を示す（ａ）正面図、（ｂ）平面図、（ｃ）側面図であり、図１１は擁壁ブロック９０の構成を示す（ａ）正面図、（ｂ）平面図、（ｃ）側面図であり、図１２は擁壁ブロック６０，９０を複数個連設して形成した擁壁６２を示す正面図であり、図１３（ａ）は擁壁ブロック６０，９０を複数個連設して形成した擁壁６２において第一閂８７を説明するための正面図、（ｂ）は擁壁ブロック６０，９０を複数個連設して形成した擁壁６２において第一閂８８を説明するための正面図である。なお、第一及び第二実施形態の擁壁ブロック１，１ａ，３０，３０ａと同様の構成については、同じ番号を付し詳細な説明を省略する。
【００５７】
先ず、第三実施形態の擁壁ブロック６０の構成について説明する。擁壁ブロック６０は、図９（ａ）に示すように、ブロック本体６１と控木材５６とを主に備え、複数個連設して擁壁６２（図１２参照）を形成するためのものである。
【００５８】
ブロック本体６１は、第一構造体６３と、第一構造体６３上に積層された第二構造体６４と、第二構造体６４上に積層された第三構造体６５と、第三構造体６５上に積層された第四構造体６６とから形成されている。ブロック本体６１は、擁壁６２の露出面となる正面６７（図１０（ａ）参照）及び擁壁６２の設置面と相対する背面６８の形状が短辺約３６０ｍｍ及び長辺約７２０ｍｍの長方形に形成され、側面６９，７０（図１０（ｃ）参照）の形状が短辺約３６０ｍｍ及び長辺約７２０ｍｍの長方形に形成され、外郭形状が直方体をなしている。
【００５９】
第一構造体６３は、間隔を置いて並設された一対の木材７１，７２から構成されている。木材７１，７２の断面形状は稜角が削られいるが一辺が約９０ｍｍの略正方形状であり、木材７１，７２の長手方向の長さは約７２０ｍｍであり、木材７１，７２の間隙は約１８０ｍｍである。
【００６０】
第二構造体６４は、第一構造体６３の木材７１，７２と略直交方向に間隔を置いて並設された二対の木材７３，７４，７５，７６から構成されている。木材７３，７４，７５，７６の断面形状は稜角が削られているが一辺が約９０ｍｍの略正方形状であり、木材７３，７４，７５，７６の長手方向の長さは約３６０ｍｍであり、木材７３，７４の間隙は約１８０ｍｍであり、木材７５，７６の間隙は約１８０ｍｍである。
【００６１】
第三構造体７は、第一構造体５の木材７１，７２と略同方向に間隔を置いて並設された一対の木材７７，７８から構成されている。木材７７，７８の断面形状は稜角が削られているが一辺が約９０ｍｍの略正方形状であり、木材７７，７８の長手方向の長さは約７２０ｍｍであり、木材７７，７８の間隙は約１８０ｍｍである。
【００６２】
第四構造体６６は、第一構造体６３の木材７１，７２と略直交方向に間隔を置いて並設された二対の木材７９，８０，８１，８２から構成されている。木材７９，８０，８１，８２の断面形状は稜角が削られているが一辺が約９０ｍｍの略正方形状であり、木材７９，８０，８１，８２の長手方向の長さは約３６０ｍｍであり、木材７９，８０の間隙は約１８０ｍｍであり、木材８１，８２の間隙は約１８０ｍｍである。
【００６３】
ここで、ブロック本体６１は、第二構造体６４に第一閂挿通孔８３，８４（図１０（ｃ）参照）を有している。第一閂挿通孔８３は、後述の第一閂８８を擁壁６２の設置面と平行な方向に挿通させるためのものであり、第一構造体６３，第二構造体６４の木材７３，７４の間隙、及び第三構造体６５により形成されている。なお、第一閂挿通孔８３は第一閂８８を縦方向に二本並設して挿通することが可能である。第一閂挿通孔８４は、第一閂８８を擁壁４の設置面と平行な方向に挿通させるためのものであり、第一構造体６３，第二構造体６４の木材７５，７６の間隙、及び第三構造体６５により形成されている。なお、第一閂挿通孔８３は、第一閂８８を縦方向に二本並設して挿通することが可能である。
【００６４】
また、ここで、ブロック本体６１は、第三構造体６５に第一閂挿通孔８５（図１０（ｂ）参照）を有している。第一閂挿通孔８５は、後述の第一閂８７を擁壁６２の設置面と平行な方向に挿通させるためのものであり、第二構造体６４，第三構造体６５の木材７８，７７の間隙、及び第四構造体６６により形成されている。なお、第一閂挿通孔８５は、第一閂８７を縦方向に二本並設して挿通することが可能である。
【００６５】
また、ここで、第二構造体６４に形成された第一閂挿通孔８３，８４と、第三構造体６５に形成された第一閂挿通孔８５とは、長手方向が互いに直交して形成されている。
【００６６】
次に、第三実施形態の擁壁ブロック９０の構成について説明する。擁壁ブロック９０は、図９（ｂ）に示すように、ブロック本体６１と控木材５６とを主に備え、複数個連設して擁壁６２（図１２参照）を形成するためのものである。
【００６７】
ブロック本体９１は、第一構造体９３と、第一構造体９３上に積層された第二構造体９４と、第二構造体９４上に積層された第三構造体９５と、第三構造体９５上に積層された第四構造体９６とから形成されている。ブロック本体６１は、擁壁６２の露出面となる正面９７（図１１（ａ）参照）及び擁壁６２の設置面と相対する背面９８の形状が短辺約３６０ｍｍ及び長辺約７２０ｍｍの長方形に形成され、側面９９，１００（図１１（ｃ）参照）の形状が短辺約３６０ｍｍ及び長辺約７２０ｍｍの長方形に形成され、外郭形状が直方体をなしている。
【００６８】
第一構造体９３は、間隔を置いて並設された二対の木材１０１，１０２，１０３，１０４から構成されている。木材１０１，１０２，１０３，１０４の断面形状は稜角が削られいるが一辺が約９０ｍｍの略正方形状であり、木材１０１，１０２，１０３，１０４の長手方向の長さは約３６０ｍｍであり、木材１０１，１０２の間隙は約１８０ｍｍであり、木材１０３，１０４の間隙は約１８０ｍｍである。
【００６９】
第二構造体９４は、第一構造体９３の木材１０１，１０２，１０３，１０４と略直交方向に間隔を置いて並設された一対の木材１０５，１０６から構成されている。木材１０５，１０６の断面形状は稜角が削られているが一辺が約９０ｍｍの略正方形状であり、木材１０５，１０６の長手方向の長さは約７２０ｍｍであり、木材１０５，１０６の間隙は約１８０ｍｍである。
【００７０】
第三構造体９５は、第一構造体９３の木材１０１，１０２，１０３，１０４と略同方向に間隔を置いて並設された二対の木材１０７，１０８，１０９，１１０とから構成されている。木材１０７，１０８，１０９，１１０の断面形状は稜角が削られているが一辺が約９０ｍｍの略正方形状であり、木材１０７，１０８，１０９，１１０の長手方向の長さは約３６０ｍｍであり、木材１０７，１０８の間隙は約１８０ｍｍであり、木材１０９，１１０の間隙は約１８０ｍｍである。
【００７１】
第四構造体９６は、第一構造体９３の木材１０１，１０２，１０３，１０４と略直交方向に間隔を置いて並設された一対の木材１１１，１１２から構成されている。木材１１１，１１２の断面形状は稜角が削られているが一辺が約９０ｍｍの略正方形状であり、木材１１１，１１２の長手方向の長さは約７２０ｍｍであり、木材１１１，１１２の間隙は約１８０ｍｍである。
【００７２】
ここで、ブロック本体９１は、第二構造体９４に第一閂挿通孔１１３（図１１（ｃ）参照）を有している。第一閂挿通孔１１３は、後述の第一閂８８を擁壁６２の設置面と平行な方向に挿通させるためのものであり、第一構造体９３，第二構造体９４の木材１０５，１０６の間隙、及び第三構造体９５により形成されている。なお、第一閂挿通孔１１３は第一閂８８を縦方向に二本並設して挿通することが可能である。
【００７３】
また、ここで、ブロック本体９１は、第三構造体９５に第一閂挿通孔１１４，１１５（図１１（ｂ）参照）を有している。第一閂挿通孔１１４は、後述の第一閂８７を擁壁６２の設置面と平行な方向に挿通させるためのものであり、第二構造体９４，第三構造体９５の木材１０７，１０８の間隙、及び第四構造体９６により形成されている。なお、第一閂挿通孔１１４は、第一閂８７を横方向に二本並設して挿通することが可能である。第一閂挿通孔１１５は、第一閂８７を擁壁６２の設置面と平行な方向に挿通させるためのものであり、第二構造体９４，第三構造体９５の木材１０９，１１０の間隙、及び第四構造体９６により形成されている。なお、第一閂挿通孔１１５は、第一閂８７を横方向に二本並設して挿通することが可能である。
【００７４】
また、ここで、第二構造体９４に形成された第一閂挿通孔１１３と、第三構造体９５に形成された第一閂挿通孔１１４，１１５とは、長手方向が互いに直交して形成されている。
【００７５】
なお、第三実施形態の擁壁ブロック６０のブロック本体６１は、正面６７と背面６８とを逆にして、第四構造体６６に控木材５６の取り付ければ、擁壁ブロック９０と同じ構造になるため、ブロック本体６１，９１は共通のものを利用できる。
【００７６】
次に、第三実施形態の擁壁ブロック６０，９０を複数個連設して形成した擁壁６２について説明する。擁壁６２は、図１２に示すように、上述の擁壁ブロック６０，９０のブロック本体６１，９１を複数個谷積みし、図１３（ａ）に示すように、第一閂８８で隣接するブロック本体６１，９１同士を接続するとともに、図１３（ｂ）に示すように、第一閂８７で隣接するブロック本体６１，９１同士を接続して形成したものである。
【００７７】
擁壁６２では、最下段は図示省略の三角形の部材が配置されており、その三角形の部材の上に擁壁ブロック６０のブロック本体６１が谷積みされ、そのブロック本体６１の上に擁壁ブロック９０のブロック本体９１が谷積みされ、以降、擁壁ブロック６０のブロック本体６１と擁壁ブロック９０のブロック本体９１とが交互に谷積みされている。
【００７８】
このように、擁壁ブロック６０，９０のブロック本体６１，９１を複数個谷積みすると、第一構造体６３，９３，第二構造体６４，９４，第三構造体６５，９５，第四構造体６６，９６がそれぞれ相対することになるが、このとき、ブロック本体６１の第二構造体６４に形成された第一閂挿通孔８３，８４，ブロック本体９１の第二構造体９４に形成された第一閂挿通孔１１３が連続するものとなるとともに、ブロック本体６１の第三構造体６５に形成された第一挿通孔８５，ブロック本体９１の第三構造体９５に形成された第一閂挿通孔１１４，１１５が連続するものとなる。
【００７９】
擁壁６２では、図１３（ｂ）に示すように、連続する第一閂挿通孔８３，８４，１１３に、第一閂８８を挿通して隣接するブロック本体６１，９１同士を接続する。また、図１３（ａ）に示すように、連続する第一閂挿通孔８５，１１４，１１５に、第一閂８７を挿通して隣接するブロック本体６１，９１同士を接続する。ここで、第一閂８７，８８について説明する。第一閂８７，８８は、隣接するブロック本体６１，９１を接続するためのものである。第一閂８７，８８の断面形状は、ブロック本体６１，９１を形成する複数の木材と同様、稜角が削られているが一辺が約９０ｍｍの略正方形状である。第一閂８７，８８の長手方向の長さは約１０８０ｍｍである。また、最下段の擁壁ブロック６０では、先端が尖っており、また、長さの長い第一閂８７ａ，８８ａを利用し、第一閂挿通孔８３，８４，８５に挿通するとともに地中に一部を埋設し、地面と擁壁ブロック６０，９０を固定する。
【００８０】
次に、本発明の第四実施形態である擁壁ブロック１２０について、図１４及び図１５に基づき説明する。図１４は第四実施形態の擁壁ブロック１２０の構成を示す（ａ）正面図、（ｂ）底面図、（ｃ）右側面図、（ｄ）左側面図であり、図１５（ａ）は擁壁ブロック１２０を複数個連設して形成した擁壁１２２を示す正面図、（ｂ）は擁壁ブロック１２０を複数個連設して形成した擁壁１２２において第一閂１３８を説明するための正面図である。なお、第一乃至第三実施形態の擁壁ブロック１，１ａ，３０，３０ａ，６０，９０と同様の構成については、同じ番号を付し詳細な説明を省略する。
【００８１】
先ず、第四実施形態の擁壁ブロック１２０の構成について説明する。擁壁ブロック１２０は、ブロック本体１２１を主に備え、複数個連設して擁壁１２２（図１５（ａ）参照）を形成するためのものである。ブロック本体１２１は、第一構造体１２３と、第一構造体１２３上に積層された第二構造体１２４と、第二構造体１２４上に積層された第三構造体１２５とから形成されている。ブロック本体１２１は、擁壁１２２の露出面となる正面１２６（図１４（ａ）参照）及び擁壁１２２の設置面と相対する背面１２７の形状が正三角形状に形成され、全体の外郭形状が三角柱をなしている。
【００８２】
第一構造体１２３は、正三角形をなすように組み合わされた三本の木材１２８，１２９，１３０から構成されている。第二構造体１２４は、第一構造体１２３の木材１２８，１２９に架け渡されて配設された木材１３１，第一構造体１２３の木材１２９，１３０に架け渡されて配設された木材１３２，第一構造体１２３の木材１３０，１２８に架け渡されて配設された木材１３３から構成されている。第三構造体１２５は、第一構造体１２３と同様、正三角形をなすように組み合わされた三本の木材１３４，１３５，１３６から構成されている。
【００８３】
ここで、ブロック本体１２１は、第一閂挿通孔１３７（図１４（ｂ），（ｃ），（ｄ）参照）を有している。第一閂挿通孔１３７は、後述の第一閂１３８を擁壁１２２の設置面と平行な上下方向に挿通させるためのものであり、第一構造体１２３、第二構造体１２４の木材１３１，１３２，１３３の間隙、及び第三構造体１２５により形成されている。なお、第一閂挿通孔１３７の開口は、第一閂１３８を横方向に二本並設して挿通することが可能である。
【００８４】
次に、第四実施形態の擁壁ブロック１２０を複数個連設して形成した擁壁１２２について説明する。擁壁１２２は、図１５（ａ）に示すように、上述の擁壁ブロック１２０のブロック本体１２１を複数個布積みし、図１５（ｂ）に示すように、第一閂１３８で隣接するブロック本体１２１同士を接続して形成したものである。
【００８５】
擁壁１２２では、底辺が直線状につらなるように擁壁ブロック１２０のブロック本体１２１を配設し、その隣り合うブロック本体１２１の間に逆向きのブロック本体１２１をさらに配設して積み上げている。このようにすれば、ブロック本体１２１の第一閂挿通孔１３７が連続するものとなり、図１５（ｂ）に示すように、連続する第一閂挿通孔１３７に第一閂１３８を挿通して隣接するブロック本体１２１同士を接続することが可能となる。なお、図１５（ｂ）では、第一閂１３８を説明するために、第一閂１３８を実線で示し、擁壁ブロック１２０を点線で示している。
【００８６】
以上、本発明について好適な四つの実施形態を挙げて説明した。しかし、本発明はこれらの実施形態に限定されるものではない。以下に示すように、本発明の要旨を逸脱しない範囲において種々の改良及び設計の変更が可能である。
【００８７】
すなわち、第一乃至第四実施形態の擁壁ブロック１，１ａ，３０，３０ａ，６０，９０，１２０では、ブロック本体２，３１，６１，９１，１２１を複数の木材が組み合わされてなる構造体が三つ又は四つ積層して形成されたものを示した。しかし、これらに特に限定されるものではなく、例えば構造体が四つ以上積層して形成されたものであってもよい。
【００８８】
また、第一乃至第四実施形態の擁壁ブロック１，１ａ，３０，３０ａ，６０，９０，１２０では、ブロック本体２，３１，６１，９１，１２１を構成する間伐材からなる複数の木材の樹種は、特に限定されるものではなく、例えば、ヒノキ、スギ、マツ、ヒバなどの針葉樹、ナラ、カンバ、ブナ、ケヤキ、ラワン・メランチ類、アピトン・クルイン類などの広葉樹が利用可能である。
【００８９】
さらに、第一乃至第四実施形態の擁壁ブロック１，１ａ，３０，３０ａ，６０，９０，１２０を複数個連設して形成した擁壁４，３２，６２，１２２は、布積みや谷積みなど各種の積み方を示した。しかし、これに特に限定されるものではなく、擁壁を形成する際の積み方は、コンクリートブロックを積み上げる際と同様に様々な積み方を用いることが可能である。また、擁壁４，３２，１２２では、同種の擁壁ブロック１，３０，１２０を積み上げて形成したが、これに特に限定されるものではなく、例えば、外郭が直方体の擁壁ブロックと、外郭が三角柱の擁壁ブロックとを連設して積み上げることも可能である。
【００９０】
【発明の効果】
以上のように、本発明に係る擁壁ブロックは、ブロック本体が木製であるため、擁壁を形成しても従来のコンクリート擁壁のようにコンクリートが剥き出しとなることがなく、周囲の自然環境との外観上の調和を保つことができる。また、全面がコンクリート又はコンクリートブロックなどで完全に覆われている法面では、動植物の生活環境を破壊したり、水はけを阻害してしまう可能性があるが、本発明に係る擁壁ブロックは、ブロック本体が木製であるため、動植物の生活環境を破壊したり、水はけを阻害する可能性が少ない。また、従来の木柵などの場合は、前後方向に湾曲する現場において、例えばコンクリートブロックのように地形に沿って配設することは困難であるが、本発明に係る擁壁ブロックでは、コンクリートブロックと同様に地形に沿って配設することが可能であり、又、コンクリートブロックと同様に布積みや谷積みなど様々な積み方も可能で、擁壁を形成する現場に応じた対応ができ、実施に際して有利である。また、隣接する擁壁ブロック同士を接続する際、第一閂挿通孔に閂を挿通することで接続することからボルト及びナットなどにより締結する必要がなく、現場では手間がかからず容易に施工できる。
【図面の簡単な説明】
【図１】（ａ）は本発明の第一実施形態の擁壁ブロックの構成を示す斜視図、（ｂ）は第一実施形態の擁壁ブロックの変化例である擁壁ブロックの構成を示す斜視図である。
【図２】擁壁ブロックの構成を示す（ａ）正面図、（ｂ）平面図、（ｃ）側面図である。
【図３】（ａ）は擁壁ブロックを複数個連設して形成した擁壁を示す正面図、（ｂ）は擁壁ブロックを複数個連設して形成した擁壁において第一閂及び第二閂を説明するための正面図である。
【図４】（ａ）は本発明の第二実施形態の擁壁ブロックの構成を示す斜視図、（ｂ）は第二実施形態の擁壁ブロックの変化例である擁壁ブロックの構成を示す斜視図である。
【図５】擁壁ブロックの構成を示す（ａ）正面図、（ｂ）平面図、（ｃ）側面図である。
【図６】（ａ）は擁壁ブロックを複数個連設して形成した擁壁を示す正面図、（ｂ）は擁壁ブロックを複数個連設して形成した擁壁において第一閂及び第二閂を説明するための正面図である。
【図７】擁壁の最下段に配設される擁壁ブロックの構成を示す（ａ）正面図、（ｂ）平面図、（ｃ）側面図である。
【図８】複数個の擁壁ブロックを湾曲して連設した状態を示す平面図である。
【図９】（ａ）は本発明の第三実施形態の擁壁ブロックの構成を示す斜視図、（ｂ）は本発明の第三実施形態の擁壁ブロックの構成を示す斜視図である。
【図１０】擁壁ブロックの構成を示す（ａ）正面図、（ｂ）平面図、（ｃ）側面図である。
【図１１】擁壁ブロックの構成を示す（ａ）正面図、（ｂ）平面図、（ｃ）側面図である。
【図１２】擁壁ブロックを複数個連設して形成した擁壁を示す正面図である
【図１３】（ａ）は擁壁ブロックを複数個連設して形成した擁壁において第一閂を説明するための正面図、（ｂ）は擁壁ブロックを複数個連設して形成した擁壁において第一閂を説明するための正面図である。
【図１４】本発明の第四実施形態の擁壁ブロックの構成を示す（ａ）正面図、（ｂ）底面図、（ｃ）右側面図、（ｄ）左側面図である。
【図１５】（ａ）は擁壁ブロックを複数個連設して形成した擁壁を示す正面図、（ｂ）は擁壁ブロックを複数個連設して形成した擁壁において第一閂を説明するための正面図である。
【符号の説明】
１，１ａ，３０，３０ａ，６０，９０，１２０  擁壁ブロック
２，３１，６１，９１，１２１  ブロック本体
３，５６  控木材
４，３２，６２，１２２  擁壁
５，３３，６３，９３，１２３  第一構造体
６，３４，６４，９４，１２４  第二構造体
７，３５，６５，９５，１２５  第三構造体
１３，１４，１５，１６，１７，１９，２０，４１，４２，４３，４４，４５，４６，４７，７１，７２，７３，７４，７５，７６，７７，７８，７９，８０８１，８２，１０１，１０２，１０３，１０４，１０５，１０６，１０７，１０８，１０９，１１０，１１１，１１２，１２８，１２９，１３０，１３１，１３２，１３３，１３４，１３５，１３６  木材
２２，２３，４９，５０，８３，８４，８５，１１３，１１４，１１５，１３７  第一閂挿通孔
２４，２５，５１，５２  第二閂挿通孔
２６，２６ａ，５３，５３ａ，５３ｂ，５３ｃ，５３ｄ，５３ｅ，８７，８７ａ，８８，８８ａ，１３８  第一閂（閂）
２７，５４  第二閂（閂）
３７  設置面
【図１】
2004270280.tif 000003
【図２】
2004270280.tif 000004
【図３】
2004270280.tif 000005
【図４】
2004270280.tif 000006
【図５】
2004270280.tif 000007
【図６】
2004270280.tif 000008
【図７】
2004270280.tif 000009
【図８】
2004270280.tif 000010
【図９】
2004270280.tif 000011
【図１０】
2004270280.tif 000012
【図１１】
2004270280.tif 000013
【図１２】
2004270280.tif 000014
【図１３】
2004270280.tif 000015
【図１４】
2004270280.tif 000016
【図１５】
2004270280.tif 000017